【事件の表示】
　特許第２９９４１６３号「平面型表示装置」の請求項１ないし４に係る特許に対する特許異議の申立てについて、次のとおり決定する。
【結　論】
　訂正を認める。
　特許第２９９４１６３号の請求項１に係る特許を維持する。
【理　由】
１．手続の経緯
　特許第２９９４１６３号の請求項１ないし６に係る発明は、平成５年１月２８日に特許出願され、平成１１年１０月２２日にその特許の設定の登録がなされ、その後、佐藤勝明により特許異議の申立がなされ、取消理由通知がなされ、その指定期間内の平成１２年１１月１日付けで訂正請求がなされたものである。
２．訂正の適否について
（１）訂正事項
　ａ．特許明細書の請求項１の８行目の「上記配列の両端の入力端子」を
「上記入力配線が延びる方向と直交する方向の両端の入力端子」と訂正する。
　ｂ．特許明細書の請求項２〜４を削除する。
　ｃ．特許明細書の請求項５，６を新たな請求項２，３とする。
　ｄ．特許明細書の段落番号０００８の８〜９行の「上記配列の両端の入力端子」を「上記入力配線が延びる方向と直交する方向の両端の入力端子」と訂正する。
　ｅ．特許明細書の段落番号０００９〜００１１を削除する。
（２）訂正の目的の適否、新規事項の有無及び拡張・変更の存否
　上記訂正事項はａは、明りょうでない記載の釈明に該当し、訂正事項ｂは請求項を削除するものであるから特許請求の範囲の減縮に該当する。また、訂正事項ｃは、請求項の削除に伴って、その内容を変えることなく請求項を繰り上げるものであり、訂正事項ｄ、ｅは、特許請求の範囲の訂正に伴いそれとの整合を図るための訂正であり、明りょうでない記載の釈明に該当する。そして、上記訂正事項は特許明細書、特に【００１６】及び図３に記載された事項の範囲内のものであり、実質的に特許請求の範囲を拡張し、又は変更するものではない。
（３）訂正の適否のむすび
　したがって、上記訂正は、特許法等の一部を改正する法律（平成６年法律第１１６号）附則第６条第１項の規定によりなお従前の例によるとされる、特許法第１２０条の４第２項及び第３項で準用する同法第１２６条第１項ただし書き、第２項及び第３項の規定に適合するので、当該訂正を認める。
３．特許異議申立人の主張概要
　特許異議申立人佐藤勝明は、甲第１号証ないし甲第３号証を提出し、本件の請求項１ないし４に係る発明は甲第１号証ないし甲第３号証に記載された発明に基づいて当業者が容易に発明をすることができたものであるから、本件発明の特許は、特許法第２９条第２項の規定により取りすべき旨、主張している。
４．当審の判断
（１）本件発明
　本件の請求項１に係る発明は、訂正明細書の特許請求の範囲の請求項１に記載された事項により特定される次のとおりのものである。
「【請求項１】表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、
　上記駆動用ＩＣは、上記入力配線が接続される複数の入力端子を備え、この入力端子は上記入力配線が延びる方向と直交する方向に配列されていて、
　上記入力配線が延びる方向と直交する方向の両端の入力端子を、上記駆動用ＩＣの電源端子としたことを特徴とする平面型表示装置。」
（２）甲各号証記載の発明
　特許異議申立人佐藤勝明の提出した本件出願前に頒布された刊行物である甲第１号証：特開平４−１３０４１８号公報には、
「一対の基板間に液晶が封入され、前記基板の一方の基板上にマトリクス状に配列された画素電極と、前記画素電極に近接して接続されてなる薄膜トランジスタと、前記薄膜トランジスタのソース電極に接続されてなる信号配線と、前記薄膜トランジスタのゲート電極に接続されてなる走査配線を有し、かつ、前記基板上の前記信号配線および前記走査配線に信号を供給すべく前記基板上に実装接続された駆動用ドライバーＩＣを有する液晶表示装置において、前記駆動用ドライバーＩＣ上の複数の入力パッドが前記駆動用ドライバーＩＣ上の複数の出力パッドの配列方向に対し少なくとも縦方向に配列された駆動用ドライバーＩＣを有することを特徴とする液晶表示装置。」（特許請求の範囲）と記載されている。また、第１図には、信号線駆動用ドライバー１２は、ドライバー駆動用配線群６が接続される複数のドライバーＩＣ入力接続端子１０とドライバーＩＣ出力接続端子１１を備え、上記入力接続端子は上記ドライバー駆動用配線群が延びる方向と直交する方向に配列されたものが図示されている。
　上記によれば、甲第１号証には、
「基板上の信号配線および走査配線に信号を供給すべく前記基板上に実装接続された駆動用ドライバーＩＣを有する液晶表示装置において、信号線駆動用ドライバーは、ドライバー駆動用配線が接続される複数のドライバーＩＣ入力接続端子とドライバーＩＣ出力接続端子を備え、上記入力接続端子は上記ドライバー駆動用配線が延びる方向と直交する方向に配列された液晶表示装置。」の発明が記載されている。
　同じく、甲第２号証：特開昭５６−７０５８６号公報には、表示装置におけるＩＣチップの入出力に関し、
「第５図はＩＣチップ４５の内部の１例を示す。ＩＣチップ４５の本体３０１の上に液晶を駆動するのに必要な回路が載せられている。周辺の四角は入力信号用あるいは電源、あるいは出力信号用のパッドである。ＶＤＤとＶＳＳは電源で、例えばそれぞれ＋５Ｖとアースである。ＳＴはストローブ信号であり、データ入力端子Ｄから入ったシリアルデータがシフトレジスタ３０３内をクロックＣＬで送られている時に必要なデータをラッチ３０４に取込むタイミングを与える信号である。信号選択回路３０５はラッチ３０４の出力で信号ＶａあるいはＶｂを選択する。・・・第５図において用いられた回路は全てよく知られたものである。第５図の例においては信号端子及び電源の端子が第６図のように外部で配線が交叉しないように作られている。即ち、このＩＣチップ４５を多数配列する場合に第６図のように互いに交ることなく配線できるようにしてある。外部に多層配線が許される場合はＶａ，Ｖｂ，ＶＤＤ，ＶＳＳ，ＳＴ，Ｄ，ＣＬの７本で足りる。」（３頁右上欄１１行〜左下欄１８行）と記載されている。又、第５図には、ＩＣチップ３０１に入力配線が接続される複数の入力端子を備え、上記入力配線と直交するＩＣチップ３０１の２辺には、上から順番にＶａ，Ｖｂ，ＶＤＤの端子がそれぞれ配列されたものが示されている。
　上記によれば、甲第２号証の電源端子のうちＶＤＤは、ＩＣチップの下辺側の入力配線が延びる方向の両側に配置されていると認められる。
　同じく、甲第３号証：特開平２−２７７８５号公報には、
「第１図は・・・１２で示した領域は集積回路用のパターンが存在する領域である。また四辺形よりなる集積回路素子の一辺に平行に信号出力用パッド１３が、上記の辺に対向する一辺に平行に集積回路駆動用パッドおよびダミーヘッド１４が配置されている。・・・１５，１６は、パッド順に合わせてバスラインの順番を変更するためのパッドであり、集積回路用パターンの片側だけでなく、両側に形成しても良い。また、１９，２０は、バスライン順変更用パッド１５，１６を接続する導電配線である。バスライン順変更用パッド１７，１８も同様に導電配線で２１，２２で接続する。第２図は、絶縁基板上のバスラインのパターンを示したものである。すなわち、２３，２４，２５は集積回路素子１１駆動用のバスラインであり、それぞれ集積回路駆動用パッド２６，２７，２８に接続されるべきものである。第３図は、第１図の集積回路素子１１を、第２図の絶縁基板上に実装した様子を示すものである。・・・第３図に示したようにバスライン２３，２４，２５は、絶縁基板上での立体交差がなく、集積回路素子１１を実装するだけで、導電配線１９，２０により自動的に信頼性の高い立体配線を完了する。」（２頁左下欄３行〜右下欄１９行）、
「第５図は、導電配線１９，２０，２１，２２に、バスライン変更用パッド４０を３点以上配置した様子を示したものである。この配置方法によれば、絶縁基板上の配線パターンにより柔軟性を持たせることができ、さらに複数のパッドで同一バスラインに接続することにより、パッドとバスラインとの接触抵抗を下げることができる。」（３頁左上欄６〜１２行）と記載されている。
（３）対比・判断
　訂正された本件の請求項１に係る発明（以下「本件発明」という）と上記甲各号証に記載の発明とを対比するに、上記甲各号証には、本件発明の「入力配線が延びる方向と直交する方向の両端の入力端子を、上記駆動用ＩＣの電源端子とした」構成が備わっていない。
　そして、本件発明は、上記構成を具備することにより、特許明細書【００１６】に記載された「入力配線が延びる方向と直交する方向の配列の両端の入力端子に接続する入力配線を、上記駆動用ＩＣとの対向領域からはみ出させて、上記入力配線の線幅を、上記配列の中央側の入力端子に接続する入力配線の線幅に比べて広くできる。したがって、上記両端の入力端子を、上記駆動用ＩＣの電源端子とした場合には、この電源端子に接続する入力配線の線幅を広くでき、電源端子用の入力配線の配線抵抗を抑えることができる。」という格別の効果を奏するものである。
　したがって、本件発明は、甲第１号証ないし甲第３号証に記載された発明に基づいて当業者が容易に発明をすることができたものとすることができない。
６．むすび
　以上のとおり、特許異議申立の理由及び証拠によっては本件発明の特許を取り消すことはできない。
　又、他に本件発明の特許を取り消すべき理由を発見しない。 
　よって、結論のとおり決定する。
【異議決定日】
平成１２年１１月１７日（２０００．１１．１７）
【訂正の要旨】
訂正の要旨
　ａ．明瞭でない記載の釈明を目的として、
当初請求項１の８行目に記載された
「上記配列の両端の入力端子」
という記載を添付の訂正明細書の通り、
『上記
入力配線が延びる方向と直交する方向
という記載に訂正する。
　ｂ．特許請求の範囲の減縮を目的として、
当初請求項２〜４を添付の訂正明細書の通り削除する。
　ｃ．明瞭でない記載の釈明を目的として、
当初請求項５・６を添付の訂正明細書の通り、それぞれ新請求項２・３とする。
　ｄ．明瞭でない記載の釈明を目的として、
当初明細書段落番号０００８の８〜９行目に記載された
「上記配列の両端の入力端子」
という記載を添付の訂正明細書の通り、訂正後の特許請求の範囲との整合性を取るため、
『上記
入力配線が延びる方向と直交する方向
という記載に訂正する。
　ｅ．明瞭でない記載の釈明を目的として、
添付の訂正明細書の通り、訂正後の特許請求の範囲との整合性を取るため、当初明細書段落番号０００９〜００１１を削除する。
（５４）【発明の名称】
平面型表示装置
（５７）【特許請求の範囲】
　【請求項１】　表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、
　上記駆動用ＩＣは、上記入力配線が接続される複数の入力端子を備え、この入力端子は上記入力配線が延びる方向と直交する方向に配列されていて、
　上記
入力配線が延びる方向と直交する方向
　【請求項２】　表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、
　上記駆動用ＩＣは、上記入力配線が接続される複数の入力端子を備え、この入力端子は上記入力配線が延びる方向と直交する方向に配列されていて、
　上記駆動用ＩＣのアドレス指定用の端子を、指定に用いる電圧を供給する２つの入力端子の間に配列したことを特徴とする平面型表示装置。
　【請求項３】　表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、
　上記駆動用ＩＣは、上記入力配線が接続される複数の入力端子を備え、この入力端子は上記入力配線が延びる方向と直交する方向に配列されていて、
　上記入力配線が延びる方向と直交する方向に配列した入力端子は、上記直交する方向に千鳥状に配列されていることを特徴とする平面型表示装置。
【発明の詳細な説明】
　【０００１】
　【産業上の利用分野】
　この発明は、液晶ディスプレイ，ＥＬ（エレクトロルミネッセンス）ディスプレイ，プラズマディスプレイ等に代表される平面型表示装置に関し、特に、駆動用ＩＣをコンパクトに実装できる平面型表示装置に関する。
　【０００２】
　【従来の技術】
　近年、液晶ディスプレイを代表とする平面型ディスプレイは、小型で薄型かつ軽量であることから、大いに注目を集めており、そのコンパクト性を左右する駆動用ＩＣ（集積回路）の実装形態には、メーカー各社が重大な関心を寄せている。
　従来、平面型ディスプレイの一例としての液晶ディスプレイの駆動用ＩＣの実装形態としては、ＴＣＰ（テープキャリアパッケージ）−ＩＣを表示基板に接続する形態が一般的である。また、一部のメーカーでは、ベアチップ状態の駆動用ＩＣを直接表示基板上に接続する実装形態、いわゆるＣＯＧ（チップ・オン・ガラス）形態も採用されている。
　【０００３】
　図５に、ＴＣＰ−ＩＣを表示基板に接続する実装形態を有する平面型表示装置を示す。この平面型表示装置は、駆動用ＩＣである複数のＴＣＰ−ＩＣ５８を並列駆動するようになっている。この表示装置は、基板５１上に設けた表示基板５２を有し、この表示基板５２に、ＴＣＰ−ＩＣ５８の出力配線５３を接続している。そして、このＴＣＰ−ＩＣ５８の入力配線５５に、上記基板５１と別体の基板５９に設けたバスラインパターン（入力配線パターン）５７を接続している。
　【０００４】
　一方、上記ＣＯＧ形態を採用した平面型表示装置は、例えば、図１に示すように、駆動用ＩＣ４を基板１上に搭載し、入力配線２が駆動用ＩＣ４と交差している（特開平３−２３９２８４公報参照）。上記平面型表示装置の駆動用ＩＣ４の配線状態を、図６に示す。図６において、３は、駆動用ＩＣ４のバンプ電極５に接続したボンディングパッド６を有し、表示基板に至る出力配線である。また、２は、駆動用ＩＣ４のバンプ電極５に接続したボンディングパッド６を有し、ＩＣ駆動用の装置（図示せず）に至る入力配線である。この入力配線２は駆動用ＩＣ４と交差しているので、図６に示すように、上記入力配線２を駆動用ＩＣ４に対向する領域において絶縁膜を介して立体交差させ、入力配線２が互いに短絡しないようにしている。
　【０００５】
　【発明が解決しようとする課題】
　ところが、上記前者の図５に示したＴＣＰ−ＩＣ５８を有する平面型表示装置では、表示基板５２を設けた基板５１の周囲に、別の基板５９を設けているので、この別基板５９の存在が平面型表示装置の小型化，薄型化を図る上で障害になるという問題がある。
　【０００６】
　また、上記後者の図６に示したＣＯＧ形態を採用した平面型表示装置は、上記ＴＣＰ−ＩＣを有する平面型表示装置に比べてコンパクト性に優れるものの、入力配線２を立体交差させなければならないので、作製の歩留まりが低下するという問題がある。
　【０００７】
　そこで、本発明の目的は、製造の歩留まりを低下させることなく、コンパクトにできる平面型表示装置を提供することにある。
　【０００８】
　【課題を解決するための手段】
　上記目的を達成するため、この発明の平面型表示装置は、表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、上記駆動用ＩＣは、上記入力配線が接続される複数の入力端子を備え、この入力端子は上記入力配線が延びる方向と直交する方向に配列されていて、上記
入力配線が延びる方向と直交する方向
　【０００９】
　【００１０】
　【００１１】
　【００１２】
　また、１実施形態の平面型表示装置は、表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、
　上記駆動用ＩＣは、上記入力配線が接続される複数の入力端子を備え、この入力端子は上記入力配線が延びる方向と直交する方向に配列されていて、
　上記駆動用ＩＣのアドレス指定用の端子を、指定に用いる電圧を供給する２つの入力端子の間に配列したことを特徴としている。
　【００１３】
　また、１実施形態の平面型表示装置は、表示手段と、上記表示手段の周囲に配置され、上記表示手段を駆動する駆動用ＩＣと、上記駆動用ＩＣに接続され、上記駆動用ＩＣの出力信号を上記表示手段に供給する複数の出力配線と、上記駆動用ＩＣに接続され、上記出力配線が延びる方向と直交する方向に延びる複数の入力配線とを基板上に設けた平面型表示装置において、
　上記駆動用ＩＣは、上記入力配線が接続される複数の入力端子を備え、この入力端子は上記入力配線が延びる方向と直交する方向に配列されていて、
　上記入力配線が延びる方向と直交する方向に配列した入力端子は、上記直交する方向に千鳥状に配列されていることを特徴としている。
　【００１４】
　【作用】
　上記構成の平面型表示装置は、上記入力配線から上記駆動用ＩＣに電力と信号が入力される。そして、上記駆動用ＩＣは、上記出力配線を介して、上記表示手段に駆動信号を出力して、表示手段を駆動する。
　【００１５】
　上記平面型表示装置は、上記駆動用ＩＣが備える入力端子は、複数の入力配線が延びる方向と直交する方向に配列されているので、複数の入力配線を交差させることなく、上記入力端子に接続することができる。この為、本発明によれば、図６に示した従来例と異なり、入力配線間の短絡を避けるために上記入力配線を絶縁膜を介して立体交差させる必要がない。したがって、本発明によれば、入力配線の立体交差という複雑な配線構造の必要なく、入力配線を入力配線が延びる経路上で直接入力端子に接続することができる。したがって、本発明によれば、製作の歩留まりを低下させることなく、コンパクト化を図ることができる。
　【００１６】
　また、本発明によれば、上記入力配線が延びる方向と直交する方向の配列の両端の入力端子に接続する入力配線を、上記駆動用ＩＣとの対向領域からはみ出させて、上記入力配線の線幅を、上記配列の中央側の入力端子に接続する入力配線の線幅に比べて広くできる。したがって、上記両端の入力端子を、上記駆動用ＩＣの電源端子とした場合には、この電源端子に接続する入力配線の線幅を広くでき、電源端子用の入力配線の配線抵抗を抑えることができる。
　【００１７】
　また、上記駆動用ＩＣの電源端子を複数の電極で構成した場合には、上記電源端子を単一の電極で構成した場合に比べて、上記電源端子と電源用の入力配線との接続抵抗を低減でき、接続の信頼性を向上させることができる。
　【００１８】
　また、上記駆動用ＩＣの電源端子を、上記入力配線と直交する上記駆動用ＩＣの２辺に重複して配列した場合には、いずれか１辺のみに配列した場合に比べて、上記電源端子と電源用の入力配線との接続抵抗を低減でき、接続の信頼性を上させることができる。
　【００１９】
　また、上記入力配線と直交する上記駆動用ＩＣの２辺の内、一方の辺に上記入力端子で構成した１つ以上の電源端子を配列し、他方の辺に上記電源端子と異なる機能を有する入力端子を配列した場合には、すべての入力端子を上記駆動用ＩＣの１辺に配列した場合に比べて、入力端子数当たりの駆動用ＩＣの１辺の長さの短縮を図ることができる。
　【００２０】
　また、上記駆動用ＩＣのアドレス指定用の端子を指定に用いる電圧を供給する２つの入力端子の間に配列した場合には、上記２つの入力端子が接続される入力配線を変形することによって、上記アドレス指定用の端子をいずれかの入力配線に接続し、指定に必要な電圧を供給することができるため、各駆動用ＩＣのアドレスを指定することができるようになる。したがって、この場合、上記２つの入力配線が、各駆動用ＩＣに共通のアドレス指定用配線になり、各駆動用ＩＣに専用のアドレス指定用配線を設ける場合に比べて、入力配線の本数を減らすことができる。したがって、コンパクト化をさらに促進することができる。
　【００２１】
　また、上記入力配線が延びる方向と直交する方向に配列した入力端子が、上記直交する方向に千鳥状に配列されている場合には、上記入力端子を一直線状に配列する場合に比べて、入力端子の配列個数当たりの配列長を短くできる。したがって、コンパクト化をさらに促進することができる。
　【００２２】
　【実施例】
　以下、この発明を図示の実施例により詳細に説明する。
　【００２３】
　図１に本発明の平面型表示装置の実施例であるアクティブマトリクス型液晶ディスプレイの上面を示し、図２に上記実施例の駆動用ＩＣ搭載部の断面を示す。
　図１に示す表示基板１は、図２に示すように、上下２枚の貼り合わせたガラス基板１ａ，１ｂを含んでいる。下側の上記ガラス基板１ｂ上には、駆動用ＩＣ４のための入力配線２，２・・・および出力配線３が形成されている。そして、これら入力，出力配線２，３上に駆動用ＩＣ４がフェイスダウンでボンディングされている。上記駆動用ＩＣ４のバンプ電極５，５は、導電性接着剤７で上記入力，出力配線２，３上に接続されている。
　【００２４】
　図１に示すように、上記表示基板１の上側のガラス基板１ａの周囲かつ、上記下側のガラス基板１ｂ上に、水平側の２個の駆動用ＩＣ４，４および垂直側の２個の駆動用ＩＣ４，４が配置されている。上記各２個の駆動用ＩＣ４は、入力配線２によって、２個ずつ並列駆動されるようになっている。
　【００２５】
　上記出力配線３および入力配線２は、通常、Ｔａ，Ｔｉ，ＩＴＯ，Ｍｏ，Ａ１，Ａｕ，Ｎｉ，Ｃｕ，Ｃｒ等で作製されている。また、上記バンプ電極５は、高さ３０〜５０μｍであり、Ａｕ等で作製されている。また、上記導電性接着剤７として、エポキシ系樹脂にＡｇ・Ｐｄ粉末を分散させたペーストを用いている。
　【００２６】
　上記入力配線２の形状と、バンプ電極５の配列について、駆動用ＩＣ４を透視した搭載部の詳細な構造を示す図３を参照しながら、詳細に説明する。図３において、２ａ〜２ｇは入力配線であり、３ａ〜３ｊは出力配線である。また、駆動用ＩＣ４の外形および駆動用ＩＣ４の出力端子としてのバンプ電極５Ａおよび入力端子としてのバンプ電極５Ｂおよび５Ｃを破線で示している。
　【００２７】
　上記入力配線２ａ〜２ｇには、バンプ電極５Ｂに接続されるボンディングパッド６が設けられている。また、上記出力配線３ａ〜３ｊには、バンプ電極５Ａに接続されるボンディングパッド６が設けられている。さらに、上記入力配線２ｇには、バンプ電極５Ｃに接続されるボンディングパッド６が設けられている。
　【００２８】
　図３に示すように、上記駆動用ＩＣ４のバンプ電極５Ｂは、上記入力配線２ａ〜２ｇが延びる方向と直交する方向に千鳥状に配列され、上記入力配線２が延びる方向と直交する駆動用ＩＣ４の２辺４Ａ，４Ｂに沿って配列されている。さらに、バンプ電極５Ｃ，５Ｃ・・・が上記入力配線２ｇが延びる方向に配列されている。
　【００２９】
　上記入力配線２ａ〜２ｇの内、２ａおよび２ｅ，２ｆ，２ｇは、上記駆動用ＩＣ４に電源を供給するための配線である。入力配線２ａおよび２ｅ，２ｆ，２ｇには、夫々、複数のバンプ電極５Ｂが接続されている。さらに、上記入力配線２ｇには、上記バンプ電極５Ｃ，５Ｃ・・・が接続されている。また、上記入力配線２ａ〜２ｇの内、２ｂ，２ｃ，２ｄは、信号用入力配線であり、夫々、１個の信号用バンプ電極５Ｂ３，５Ｂ４，５Ｂ５が接続されている。
　【００３０】
　また、上記入力配線２ｅに接続されたバンプ電極５Ｂ１および上記入力配線２ｆに接続されたバンプ電極５Ｂ２は、駆動用ＩＣ４のチップアドレスを指定するためのアドレス指定端子である。
　【００３１】
　上記構成のアクティブマトリクス型液晶ディスプレイは、上記入力配線２ａ，２ｅ，２ｆ，２ｇから駆動用ＩＣ４に電力が供給され、上記入力配線２ｂ，２ｃ，２ｄから駆動用ＩＣ４に信号が供給される。そして、上記駆動用ＩＣ４は、上記出力配線３ａ〜３ｊを介して、上記表示基板１に駆動信号を出力して、上記表示基板１を駆動し、基板１ａに液晶表示させる。
　【００３２】
　上記実施例は、上記駆動用ＩＣ４の入力端子としてのバンプ電極５Ｂを、複数の入力配線２ａ〜２ｇが延びる方向と直交する方向に配列したので、複数の入力配線２ａ〜２ｇ同士を交差させることなく、直接に上記入力端子２ａ〜２ｇに接続させることができる。したがって、上記実施例によれば、図６に示した従来例と異なり、入力配線２ａ〜２ｇを立体交差させることなく、下側のガラス基板１ｂ上に駆動用ＩＣ４を搭載することができる。従って、上記実施例によれば、製造上の歩留まりを低下させることなく、コンパクト化を図ることができる。
　【００３３】
　また、上記実施例は、駆動用ＩＣ４のバンプ電極５Ｂを、千鳥状に配列しているので、バンプ電極５Ｂの個数当たりの辺４Ａ，４Ｂの長さの短縮を図ることができる。
　【００３４】
　また、上記実施例は、上記入力配線２ａ〜２ｇが延びる方向と直交する配列の両端のバンプ電極５Ｂを電源端子とし、この両端のバンプ電極５Ｂを、電源を供給するための配線２ａおよび２ｇに接続したので、図３に示すように、この配線２ａと２ｇを、駆動用ＩＣ４との対向領域から、上記配線２ａ，２ｇが延びる方向と直交する方向に向かってはみ出させることができる。つまり、この電源供給入力配線２ａ，２ｇの線幅を、上記配列の中央側のバンプ電極５Ｂに接続する入力配線２ｂ，２ｃ，２ｄ，２ｆの線幅に比べて広くできる。したがって、上記配列の両端のバンプ電極５Ｂに接続する電源端子用の入力配線２ａ，２ｇの配線抵抗の低減と配線の高信頼性化を図ることができる。
　【００３５】
　また、上記実施例は、駆動用ＩＣ４の複数のバンプ電極５Ｂが電源端子を構成しているので、上記電源端子を単一の電極で構成した場合に比べて、上記電源端子と電源用の入力配線２ａ，２ｅ，２ｆ，２ｇとの接続抵抗を低減でき、接続の信頼性を向上させることができる。さらに、上記実施例では、上記電源端子を２辺に重複して配列し、接続抵抗の低減、信頼性の向上を促進している。
　【００３６】
　また、上記入力配線２ｇを、この入力配線２ｇが延びる方向に配列した複数のバンプ電極５Ｃ，５Ｃ・・・に接続する特別な多端子構造にしているので、入力配線２ｇの低抵抗接続と高信頼性接続を、さらに向上させることができる。また、上記複数のバンプ電極５Ｃ，５Ｃ・・・の存在によって、駆動用ＩＣ４の４辺に沿ってバンプ電極５が配設されることになるので、基板１ｂへの駆動用ＩＣ４のボンディングの安定化を図ることができる。
　【００３７】
　また、上記実施例は、アドレス指定端子を構成する２つのバンプ電極５Ｂ１および５Ｂ２を、２つの異なる電圧を供給する入力配線２ｅおよび２ｆに接続して、上記入力配線２ｅおよび２ｆによって上記バンプ電極５Ｂ１および上記バンプ電極５Ｂ２をプルアップあるいはプルダウンするようにしている。そして、上記入力配線２ａ〜２ｇが延びる方向に、図３に示す駆動用ＩＣ４に隣接して設けられた別の駆動用ＩＣ４は、その駆動用ＩＣ４のアドレス指定端子を構成する２つのバンプ電極を、上記入力配線２ｅあるいは２ｆに接続して、その駆動用ＩＣ４のチップアドレスを指定するようにしている。従って、この実施例によれば、個々の駆動用ＩＣ４，４に対して専用のチップアドレス指定用入力配線を設ける必要がないから、入力配線本数の低減を図ることができ、一層のコンパクト化を図ることができる。
　【００３８】
　尚、上記実施例では、電源端子を構成するバンプ電極５Ｂと、信号用パンフ電極５Ｂ３，５Ｂ４，５Ｂ５およびアドレス指定端子を構成する２つのバンプ電極５Ｂ１，５Ｂ２を駆動用ＩＣ４の同一の辺４Ａに沿って配置したが、図４に示すように、電源端子を構成するバンプ電極５Ｂのみを、駆動用ＩＣ４の一方の辺４Ａに沿って配置し、信号用バンプ電極５Ｂ３，５Ｂ４，５Ｂ５およびアドレス指定端子を構成する２つのバンプ電極５Ｂ１，５Ｂ２を上記辺４Ａに対向する辺４Ｂに配置するようにしてもよい。この場合には、駆動用ＩＣ４の１辺４Ａに沿って配置するバンプ電極５Ｂの個数を、図３に示した実施例に比べて、少なくでき、上記辺４Ａの長さの増大を抑えることができる。
　【００３９】
　また、上記実施例では、平面型表示装置をアクティブマトリクス型液晶ディスプレイとしたが、本発明の平面型表示装置は、単純マトリクス型液晶ディスプレイやＥＬディスプレイ、もしくはプラズマディスプレイであってもよい。
　【００４０】
　【発明の効果】
　以上より明らかなように、本発明の平面型表示装置は、駆動用ＩＣが備える入力端子が、複数の入力配線が延びる方向と直交する方向に配列されているので、複数の入力配線を互いに交差させることなく、直接に上記入力端子に接続することができる。このため、本発明によれば、上記入力配線を立体交差させる必要がない。したがって、本発明によれば、製作の歩留まりを低下させることなく、コンパクト化を図ることができる。
　【００４１】
　また、本発明によれば、上記入力配線が延びる方向と直交する方向の配列の両端の入力端子に接続する入力配線の線幅を、上記配列の中央側の入力端子に接続する入力配線の線幅に比べて広くできる。したがって、上記両端の入力端子を、上記駆動用ＩＣの電源端子とした場合には、この電源端子に接続する入力配線の線幅を広くでき、電源端子用の入力配線の配線抵抗を抑えることができる。
　【００４２】
　また、上記駆動用ＩＣの電源端子を複数の電極で構成した場合には、上記電源端子を単一の電極で構成した場合に比べて、上記電源端子と電源用の入力配線との接続抵抗を低減でき、接続の信頼性を向上させることができる。
　【００４３】
　また、上記駆動用ＩＣの電源端子を、上記入力配線と直交する上記駆動用ＩＣの２辺に重複して配列した場合には、いずれか１辺のみに配列した場合に比べて、上記電源端子と電源用の入力配線との接続抵抗を低減でき、接続の信頼性を向上させることができる。
　【００４４】
　また、上記入力配線と直交する上記駆動用ＩＣの２辺の内、一方の辺に上記入力端子で構成した１つ以上の電源端子を配列し、他方の辺に上記電源端子と異なる機能を有する入力端子を配列した場合には、すべての入力端子を上記駆動用ＩＣの１辺に配列した場合に比べて、入力端子数当たりの駆動用ＩＣの１辺の長さの短縮を図ることができる。
　【００４５】
　また、上記駆動用ＩＣのアドレス指定用の端子を、指定に用いる電圧を供給する２つの入力端子の間に配列した場合には、上記２つの入力端子が接続される入力配線を変形することによって、上記アドレス指定用の端子をいずれかの入力配線に接続し、指定に必要な電圧を供給することができるため、各駆動用ＩＣのアドレスを指定することができるようになる。したがって、この場合、上記２つの入力配線が、各駆動用ＩＣに共通のアドレス指定用配線になり、各駆動用ＩＣに専用のアドレス指定用配線を設ける場合に比べて、入力配線の本数を減らすことができる。したがって、コンパクト化をさらに促進することができる。
　【００４６】
　また、上記入力配線が延びる方向と直交する方向に配列した入力端子が、上記直交する方向に千鳥状に配列されている場合には、上記入力端子を一直線状に配列する場合に比べて、入力端子の配列個数当たりの配列長を短くできる。したがって、コンパクト化をさらに促進することができる。
【図面の簡単な説明】
　【図１】　この発明の平面型表示装置の実施例のアクティブマトリクス型液晶ディスプレイの平面図である。
　【図２】　上記実施例の駆動用ＩＣの搭載状態を示す断面図である。
　【図３】　上記実施例の駆動用ＩＣへの配線状態を示す透視平面図である。
　【図４】　上記実施例の変形例の配線状態を示す透視平面図である。
　【図５】　従来例としてのＴＣＰ−ＩＣ実装形態の液晶ディスプレイの平面図である。
　【図６】　今一つの従来例としてのＣＯＧ実装形態の液晶ディスプレイの駆動用ＩＣの搭載状態および配線状態を示す透視平面図である。
　【符号の説明】
１・・・表示基板、１ａ・・・上側ガラス基板、１ｂ・・・下側ガラス基板、
２，２ａ〜２ｇ・・・入力配線　３，３ａ〜３ｊ・・・出力配線、４・・・駆動用ＩＣ、
５，５Ａ，５Ｂ，５Ｃ・・・バンプ電極、
５Ｂ１，５Ｂ２・・・アドレス指定用のバンプ電極、
５Ｂ３，５Ｂ４，５Ｂ５・・・信号用のバンプ電極、
６・・・ボンディングパッド、
７・・・導電性接着剤。